(57)【要約】      （修正有）【課題】より容易且つより確実に錠剤を受け取ることができる錠剤を保持する包装体を提供する。【解決手段】包装体１０は、保持体３０と、保持体３０の突出部３１を貫通させる貫通孔Ｃ１を形成した上部保持シート１１と、貫通孔Ｃ１に対応する位置に形成され突出部３１の押圧によりシート状部材３２が破断して錠剤Ｔを落下させるための落下孔Ｃ２を形成した下部保持シート１２と、落下孔Ｃ２から落下した錠剤Ｔを受ける受皿部１３と、下部保持シート１２及び受皿部１３の側端部に位置するガイド板と、を有する。錠剤Ｔを受皿部１３に落下させた後、下部保持シート１２、ガイド板、及び受皿部１３の一端部によって形成される取出口Ｍから錠剤Ｔを取り出すことが可能な構成である。【選択図】図２
0003180480.tif 000002
【実用新案登録請求の範囲】
【請求項１】
内容物の形状に合わせて突出させて形成した表面側の突出部と裏面側の薄いシート状部材とで前記内容物を覆う保持体と、
前記保持体の突出部を貫通させる貫通孔を形成した上部保持シートと、
前記貫通孔に対応する位置に形成され前記突出部の押圧により前記シート状部材が破断して前記内容物を落下させるための落下孔を形成した下部保持シートと、
前記落下孔から落下した前記内容物を受ける受皿部と、
前記下部保持シート及び前記受皿部の側端部に位置するガイド板と、
を有し、
前記内容物を前記受皿部に落下させた後、前記下部保持シート、前記ガイド板、及び前記受皿部の一端部によって形成される取出口から前記内容物を取り出すことが可能な構成であることを特徴とする包装体。
【請求項２】
前記下部保持シート及び前記受皿部との間に前記ガイド板と平行にリブ部が立設されることを特徴とする請求項１に記載の包装体。
【請求項３】
請求項１又は請求項２に記載の包装体と、
前記受皿部の一端部と当接する位置にて前記内容物を受け止める受止部が形成され前記包装体を内包する外容器と、
を有し、
前記外容器は、前記上部保持シートと前記受止部との間に前記内容物を取り出し可能な大きさの間隙が形成されるように前記包装体を保持することを特徴とする包装容器。
【請求項４】
請求項１又は請求項２に記載の包装体と、
前記取出口から落下した前記内容物を受け取る受取部が前記取出口の下方にて蝶着されるように形成され、前記包装体を内包する中間容器と、
前記受取部の方向に前記中間容器を摺動可能とするように、前記中間容器を内包する外部容器と、
を有することを特徴とする包装容器。
【考案の詳細な説明】
【技術分野】
【０００１】
本考案は、包装体及び前記包装体を有する包装容器に関する。
【背景技術】
【０００２】
従来、ＰＴＰシート等の錠剤を保持し、使用時には、ＰＴＰシートに保持した錠剤を取り出し易い構造が提案されている（例えば、特許文献１、特許文献２参照）。
【０００３】
特許文献１では、ＰＴＰ（Press Through Package）シートを、２枚のシート状部材によって錠剤部分（突起部分）を除いて挟持する包装体で保持する。錠剤を取出す際には、錠剤の突出していない裏面側のシート状部材の覆い片を破断させ、ＰＴＰシートの裏面を露出させる。そして、錠剤が突出している表面側からＰＴＰシートの突出部を押圧すると、ＰＴＰシートの裏面が破れて、錠剤が包装体から取り出される。
【０００４】
特許文献２では、下面に取出し孔を設けた内容器に、錠剤の入ったＰＴＰシートを保持し、前記取出し孔の上部に錠剤を配置する。錠剤を取り出す際には、外容器から内容器をスライドさせて取り出し、次に、内容器の上部に突出しているＰＴＰの錠剤部分を押圧することで、ＰＴＰシート裏面が破れ、前記取出し孔から錠剤が取り出される。
【先行技術文献】
【特許文献】
【０００５】
【特許文献１】特開２０１０−００６４３１
【特許文献２】特開２０１２−１４３３０８
【考案の概要】
【考案が解決しようとする課題】
【０００６】
上述の技術によると、ＰＴＰシートから錠剤を取り出す際、ＰＴＰシートの表面にある突出部を押圧すると、錠剤が押し出されてＰＴＰシート裏面のアルミ泊が破れる。これにより、錠剤がＰＴＰシート外へ取出すことができる。ここで、取り出された錠剤を受けるためには、ＰＴＰシート裏面を手で覆うなどする必要がある。この場合、押圧する手と錠剤を受ける手は異なる手である必要があるため、両手を使用する必要があり手間がかかっていた。
【０００７】
また、押圧するのは表面であるが、錠剤が取り出されるのは裏面からであるため、錠剤部分を押圧する際、表面を見ながら行うと裏面側は隠れていることとなる。このため、手で裏面を覆う際に、隠れている裏面の錠剤の落下する位置を予測する必要があり、確実に錠剤を受け取るには十分ではなかった。
【０００８】
本考案は、内容物を保持する包装体において、より容易且つより確実に内容物を受け取ることを目的とする。
【課題を解決するための手段】
【０００９】
上記目的を達成するための本考案の第一の構成は、内容物の形状に合わせて突出させて形成した表面側の突出部と裏面側の薄いシート状部材とで前記内容物を覆う保持体と、前記保持体の突出部を貫通させる貫通孔を形成した上部保持シートと、前記貫通孔に対応する位置に形成され前記突出部の押圧により前記シート状部材が破断して前記内容物を落下させるための落下孔を形成した下部保持シートと、前記落下孔から落下した前記内容物を受ける受皿部と、前記下部保持シート及び前記受皿部の側端部に位置するガイド板と、を有し、前記内容物を前記受皿部に落下させた後、前記下部保持シート、前記ガイド板、及び前記受皿部の一端部によって形成される取出口から前記内容物を取り出すことが可能な構成であることを特徴とする包装体である。
【００１０】
第二の構成は、前記下部保持シート及び前記受皿部との間に前記ガイド板と平行にリブ部が形成されることを特徴とする前記包装体である。
【００１１】
第三の構成は、前記包装体と、前記受皿部の一端部と当接する位置にて前記内容物を受け止める受止部が形成され前記包装体を内包する外容器と、を有し、前記外容器は、前記上部保持シートと前記受止部との間に前記内容物を取り出し可能な大きさの間隙が形成されるように前記包装体を保持することを特徴とする包装容器である。
【００１２】
第四の構成は、前記包装体と、前記取出口から落下した前記内容物を受け取る受取部が前記取出口の下方にて蝶着されるように形成され、前記包装体を内包する中間容器と、前記受取部の方向に前記中間容器を摺動可能とするように、前記中間容器を内包する外部容器と、を有することを特徴とする包装容器である。
【考案の効果】
【００１３】
上記構成により、内容物を保持する包装体において、より容易且つより確実に内容物を取り出すことができる。
【００１４】
第一の構成によれば、突出部を押圧することで、押圧された内容物がシート状部材を破断させて落下する。落下した内容物は一旦、受皿部によって受けられる。このため、表面を押圧する際に、裏面を手で覆う手間がかからない。その後、内容物は、ガイド板によりガイドされつつ受皿部の上を移動可能である。ここで、内容物は受皿部の上を自由に移動可能であるものの、内容物は受皿部の一端にある取出口のみから取り出し可能である。よって、内容物は確実に取出口のみから取り出されることとなり、確実に取り出すことができる。
【００１５】
第二の構成によれば、リブ部が形成されたことで、下部保持シートと受皿部との間の強度を増加させることができる。また、下部保持シートと受皿部とガイド板によって取出口は構成されているため、ガイド部と平行に形成されるリブ部が、下部保持シートと受皿部との間隙を確実に確保し、取出口の開口面積を保持することで、内容物を更に確実に取り出すことができる。
【００１６】
第三の構成によれば、外容器の受止部により、包装体の取出口から取り出された内容物が受け止められる。このため、内容物を受け止めることが更に確実になる。
【００１７】
第四の構成によれば、外部容器から中間容器を摺動させて、蝶着されている部分を回動させることで受取部を出すと、取出口から内容物を取り出すと同時に、受取部によって内容物が受け取られる。このため、内容物を確実に受け取ることができる。
【図面の簡単な説明】
【００１８】
【図１】第１実施形態の包装体と包装容器の構造を示す斜視図。
【図２】第１実施形態の包装体と包装容器の構造を示す断面図。
【図３】第１実施形態の包装体の展開図。
【図４】第１実施形態の包装体の組み立て過程を示す斜視図。
【図５】第１実施形態の包装体の組み立て過程を示す斜視図。
【図６】第１実施形態の外容器の展開図。
【図７】第１実施形態の外容器の組み立て過程を示す斜視図。
【図８】第２実施形態の包装体を有する包装容器の構造を示す斜視図。
【図９】第３実施形態の包装体の構造を示す展開図及び斜視図。
【考案を実施するための形態】
【００１９】
〔第１実施形態〕
図を用いて第１実施形態の包装体及び包装容器について説明する。本実施形態において、包装容器２０は、包装体１０と、包装体１０を内包する外容器４０とにより構成される。まず包装体１０の構成を説明する。
【００２０】
（包装体１０の構成）
図１は第１実施形態の包装体と包装容器の構造を示す斜視図である。（ａ）に包装体１０を外容器４０に挿入して包装容器２０とする段階を示し、（ｂ）に包装容器２０の外観を示し、（ｃ）に錠剤Ｔを包装体１０及び包装容器２０から取り出す状態を示す。図２は第１実施形態の包装体と包装容器の構造を示す断面図であり、図１（ｃ）と同様の状態を示している。
【００２１】
図１及び図２に示すように、包装体１０は、保持体３０を上部に保持する。保持体３０としては、例えば、錠剤Ｔ（内容物）の形状に合わせて突出させて形成した表面側のプラスチック製の突出部３１と、裏面側の薄いアルミ製のシート状部材３２とで錠剤を覆うＰＴＰ（Press Through Package）シートがある。なお、保持体３０はこれに限るものではなく、表面を押圧することで、裏面から取り出すことが可能な構成のものであればよい。また、本実施形態の内容物は錠剤Ｔであるが、これに限るものではない。
【００２２】
この構成により、図２に示すように突出部３１を上方から押圧すると、間接的に押圧された錠剤Ｔによりシート状部材３２が押圧されて破断する。これにより、錠剤Ｔは突出部３１と反対方向に落下する（図２におけるＴ１の状態）。
【００２３】
図２に示すように、保持体３０は、保持体３０の突出部３１を貫通させる貫通孔Ｃ１が形成される上部保持シート１１により、保持体３０の上部側が保持される。また、貫通孔Ｃ１に対応する位置に形成される落下孔Ｃ２を有する下部保持シート１２により、保持体３０の下部側が保持される。このように、保持体３０は上下を上部保持シート１１及び下部保持シート１２によって挟持されることで、包装体１０の上端に保持される。
【００２４】
包装体１０の下面は受皿部１３となっている。この構成により、図２に示すように、落下孔Ｃ２から落下した錠剤Ｔは、一旦、受皿部１３によって受けられる。従来のように、保持体３０の裏面を手で覆って錠剤の落下を防ぐ等の手段を講じる必要はない。
【００２５】
また、下部保持シート１２及び受皿部１３の側端部にはガイド板１４が位置する。このため、下部保持シート１２、２つの両側面のガイド板１４、受皿部１３によって、空間Ｓが形成される。そして空間Ｓ（図２参照）の一端から錠剤Ｔを取出すことができる。この、下部保持シート１２、２つのガイド板１４、受皿部１３それぞれの一端部によって形成される開口を取出口Ｍという。
【００２６】
このような構成により、錠剤Ｔは、錠剤Ｔを受皿部１３に落下させた後、取出口Ｍからのみ取り出すことが可能な構成となっている。このため、錠剤Ｔは、取出口Ｍ以外からは外部に出ることはない。
【００２７】
（包装体１０の製造工程）
図を用いて製造工程を説明しつつ、包装体１０の各部の詳細構造を説明する。図３は第１実施形態の包装体の展開図である。（ａ）が包装体１０の表面側の展開図で、（ｂ）が包装体１０の裏面側の展開図である。
【００２８】
図３に示すように、包装体１０を構成するブランク板は、上部保持シート１１から左右方向且つ略対称的に、ガイド板１４、受皿部１３、リブ部１６、下部保持シート１２、糊代片１７が一体的に形成される。上部保持シート１１の奥側に当たる部分には奥側片１５が形成される。
【００２９】
次に各部について詳細に説明する。なお、以下の説明においてブランク板はシート状であればよく、必ずしも紙に限るものではない。例えば、折り畳み可能な樹脂素材でもよい。
【００３０】
上部保持シート１１には、貫通孔Ｃ１が形成される。ここで、本実施形態においては貫通孔Ｃ１を６つ形成しているがこれに限るものではなく、少なくとも１つ以上あればよい。
【００３１】
下部保持シート１２には、落下孔Ｃ２が形成される。下部保持シート１２は上部保持シート１１の半分の大きさであり、後述のように、落下孔Ｃ２は組み立てたときに、上部保持シート１１の貫通孔Ｃ１に対応するように形成される。
【００３２】
受皿部１３にはその側端部に差込片１３ａと差込口１３ｂが形成され、後述の手順で組み立てたときに、互いに嵌合する。受皿部１３の手前側（図中下側）には包装容器２０の一部に差し込むことで固定される固定片１３ｃが形成される。
【００３３】
奥側片１５は、包装体１０の奥側に配置され、包装体１０の空間Ｓ（図２参照）の奥側を遮蔽する。奥側片１５には差込片１５ａが形成され、差込片１５ａを包装体１０の空間Ｓの奥側下部に差し込むことで包装体１０の上下方向の幅を固定する。
【００３４】
リブ部１６は、ガイド板１４と平行且つ略同等の幅で形成される。これにより、組み立てた場合には、下部保持シート１２及び受皿部１３との間にガイド板１４と平行にリブ部１６が立設され、空間Ｓの上下方向の間隙を確保する。すると、取出口Ｍを確実に開口させることができ、包装体１０に上下方向の力が加わっても、取出口Ｍがつぶれることはなく、錠剤Ｔが取出し易いという効果を有する。
【００３５】
本実施形態では、糊代片１７にはその表面側に接着剤Ｇが塗布される。但し、固定するための手段は接着剤Ｇのみに限るものではない。
【００３６】
以上のような構成のブランク板により、包装体１０は次のように組み立てられる。図４は第１実施形態の包装体の組み立て過程を示す斜視図である。図５は第１実施形態の包装体の組み立て過程を示す斜視図である。
【００３７】
図４（ａ）に示す包装体１０のブランク板を、側端部にある糊代片１７から順次、隣り合う片が直角となるように折り畳んでいく。図４（ｂ）に示すように、糊代片１７の接着剤Ｇにより、糊代片１７とガイド板１４とを接着する。一方で、錠剤Ｔを保持する保持体３０を、突出部３１が上部保持シート１１の貫通孔Ｃ１に合うように、上部保持シート１１上に載置する。
【００３８】
更に折り畳んでいくと、図４（ｃ）に示すように、下部保持シート１２が保持体３０に当接するため、上部保持シート１１と下部保持シート１２とで保持体３０を挟持することとなる。図４においては、半分のみを折り畳んでいるが、これをもう一方の側端部においても同様に折り進めていく。
【００３９】
両側端部を折り畳むと、図５（ａ）に示すように、受皿部１３の差込片１３ａと差込口１３ｂが対応する位置にあるため、差込片１３ａを差込口１３ｂに差し込む。次に、図５（ｂ）に示すように、差込片１５ａを受皿部１３と奥側片１５との間に差し込む。これにより、図５（ｃ）に示すように、包装体１０が完成する。
【００４０】
次に、包装体１０を内部に配置する外容器４０の構成を説明する。図６は第１実施形態の外容器の展開図である。（ａ）が外容器４０の表面（外面）側の展開図で、（ｂ）外容器４０の裏面（内面）側の展開図である。
【００４１】
外容器４０は、図６に示すように、一枚のブランク板により構成される。ブランク板は、図６（ａ）に示すように、包装体１０の上部を露出する程度の大きな上部開口Ｃ３を有する上面片４１の一端から、第一側面片４２、底面片４３、第二側面片４４、蓋片４５、固定片４６が連続し、上面片４１の他端には糊代片４７が形成される。
【００４２】
上面片４１の上下には、第三側面片４１ａ、差込片４１ｂが形成される。第一側面片４２及び第二側面片４４の上下には、それぞれ隣接辺４２ａ、隣接辺４４ａが形成される。底面片４３の上部には包装体１０を保持するための第一保持片４３ａ、第二保持片４３ｂ、第三保持片４３ｃが連接される。第一保持片４３ａと第二保持片４３ｂとの間には、最終的に包装体１０の固定片１３ｃが入り込むために形成された開口Ｃ４が形成される。
【００４３】
以上のような構成のブランク板により、外容器４０は次のように組み立てられる。図７は第１実施形態の外容器の組み立て過程を示す斜視図である。
【００４４】
図７（ａ）に示す外容器４０のブランク板を、糊代片４７側から順次、隣り合う片が直角となるように折り畳んでいく。図７（ｂ）に示すように、糊代片４７と第二側面片４４とが対向するようになったとき、糊代片４７が有する接着剤Ｇを第二側面片４４に対して接着して固定する。その後、図７（ｃ）に示すように、蓋片４５が上面片４１の上部を覆うように折り畳む。そして、固定片４６が有する接着剤Ｇにて、固定片４６を第一側面片４２に対して接着固定する。この後、図７に示す奥側にある第三側面片４１ａ及び差込片４１ｂを差込む。
【００４５】
すると、図１（ａ）に示すように、手前側が開口した状態になるので、この段階で包装体１０を外容器４０に挿入する。その後、第三側面片４１ａ、差込片４１ｂ、第一保持片４３ａ、第二保持片４３ｂ、第三保持片４３ｃを収納する。この際の詳細な折り畳み構造は、図２に示される。即ち、受皿部１３の固定片１３ｃが、第一保持片４３ａと第二保持片４３ｂとにわたって形成された開口Ｃ４に入り込む。これにより、受皿部１３は底面片４３に固定される。
【００４６】
そして、このように、第一保持片４３ａ、第二保持片４３ｂ、第三保持片４３ｃを組み立てることで、受皿部１３の一端部と当接する位置にて錠剤Ｔを第二保持片４３ｂ（受止部）にて受け止める（図２参照）ことが可能となる。
【００４７】
これらの製造工程により、図１（ｂ）に示す、外容器４０の中に包装体１０が収容された包装容器２０が完成する。
【００４８】
包装容器２０の使用時には、図１（ｃ）に示すように、固定片４６に形成されたタブ４６ａを破断線Ｄに沿って切離すと、蓋片４５が上面片４１と離れて、保持体３０を保持した包装体１０が露出する。ここで、上部保持シート１１と受止部との間に錠剤Ｔを取り出し可能な大きさの間隙Ｃ５が形成される（図２参照）ように、外容器４０は包装体１０を保持する。よって、包装体１０の受皿部１３に落下して保持された錠剤Ｔは、間隙Ｃ５から取り出すことができる。
【００４９】
〔第２実施形態〕
図を用いて第２実施形態の包装体及び包装容器について説明する。前述と略同様の構成については同符号を付して説明を省略する。本実施形態において、包装容器５０は、包装体１０と、包装体１０を内包する中間容器６０と、中間容器６０を内包する外部容器７０と、により構成される。
【００５０】
図８は第２実施形態の包装体を有する包装容器の構造を示す斜視図である。図８（ａ）に示すように、使用前の包装容器５０は、外部容器７０の中に中間容器６０が摺動可能に収納されている。
【００５１】
図８（ｂ）に示すように、使用時には、中間容器６０を外部容器７０から手前側に引っ張ることで中間容器６０の手前側を露出させる。そして、中間容器６０手前側に形成された破断線Ｄ１において４辺のうちの３辺を破断させる。これにより、中間容器６０の受取部６１が中間容器本体６２に対して蝶着した状態で下方に回動可能に構成される。
【００５２】
ここで、本実施形態の包装体１０は、受取部６１の幅と同一に形成されたスペーサ部１８を有するため、包装体１０が図中手前側に移動することがなく、受皿部１３を中間容器本体６２内に保持させている。
【００５３】
このため、図８（ｃ）に示すように、受取部６１を下方に回動させると、受取部６１は、錠剤Ｔの取出口Ｍの下方に蝶着された状態となる。これにより、取出口Ｍから落下した錠剤Ｔを受取部６１によって受け取ることができる。
【００５４】
〔第３実施形態〕
図を用いて第３実施形態の包装体及び包装容器について説明する。前述と略同様の構成については同符号を付して説明を省略する。図９は第３実施形態の包装体の構造を示す展開図及び斜視図である。（ａ）が包装体８０の表面側の展開図で、（ｂ）が包装体８０の完成時の斜視図である。
【００５５】
図９（ａ）に示すように、包装体８０を構成するブランク板は、上部保持シート８１から左右方向且つ略対称的に、側板８４、受皿部８３、中間リブ部８６、下部保持シート８２、外側リブ部８８、糊代片８７が一体的に形成される。上部保持シート８１の奥側に当たる部分には奥側片８５が形成される。次に各部について詳細に説明する。
【００５６】
上部保持シート８１には、錠剤Ｔの大きさに応じた貫通孔Ｃ６が形成される。ここで、本実施形態においては貫通孔Ｃ６を２つ形成しているがこれに限るものではなく、少なくとも１つ以上あればよい。
【００５７】
下部保持シート８２には、落下孔Ｃ７が形成される。下部保持シート８２は上部保持シート８１の半分より小さく、下部保持シート８２と糊代片８７の面積を合計すると上部保持シート８１と同じ大きさである。落下孔Ｃ７は組み立てたときに、上部保持シート８１の貫通孔Ｃ６に対応するように形成される。
【００５８】
受皿部８３にはその側端部に差込片８３ａと差込口８３ｂが形成され、組み立てたときに互いに嵌合する。受皿部８３の手前側には包装容器（不図示）の一部に差し込むことで固定される固定片８３ｃが形成される。
【００５９】
中間リブ部８６及び２つの外側リブ部８８は、側板８４と平行且つ略同等の幅で形成される。これにより、組み立てた場合には、下部保持シート８２及び受皿部８３との間に側板８４平行に中間リブ部８６及び外側リブ部８８が立設され、包装体８０内にできた空間の上下方向の間隙を確保する。
【００６０】
本実施形態では、糊代片８７にはその表面側に接着剤Ｇが塗布される。但し、固定するための手段は接着剤Ｇのみに限るものではない。
【００６１】
ブランク板を、前述の実施形態と同様に、端から中央にかけて折り畳み、その過程で保持体３０の突出部３１が貫通孔Ｃ６を貫通するように保持する。すると、図９（ｂ）に示すように、保持体３０を保持する包装体８０が完成する。
【００６２】
このように、中間リブ部８６のみならず、複数の外側リブ部８８を落下孔Ｃ７の近傍に立設させたことで、よりリブによる強度を確保することができる。すると、包装体８０に上下方向の力が加わっても、取出口Ｍがつぶれることはなく、錠剤Ｔがより取出し易いという効果を有する。
【産業上の利用可能性】
【００６３】
本考案は、包装体及び前記包装体を有する包装容器に利用することができる。
【符号の説明】
【００６４】
Ｃ１…貫通孔、Ｃ２…落下孔、Ｃ３…上部開口、Ｃ４…開口、Ｃ５…間隙、Ｄ…破断線、Ｄ１…破断線、Ｇ…接着剤、Ｍ…取出口、Ｓ…空間、Ｔ…錠剤、１０…包装体、１１…上部保持シート、１２…下部保持シート、１３…受皿部、１３ａ…差込片、１３ｂ…差込口、１３ｃ…固定片、１４…ガイド板、１５…奥側片、１５ａ…差込片、１６…リブ部、１７…糊代片、１８…スペーサ部、２０…包装容器、３０…保持体、３１…突出部、３２…シート状部材、４０…外容器、４１…上面片、４１ａ…第三側面片、４１ｂ…差込片、４２…第一側面片、４２ａ…隣接辺、４３…底面片、４３ａ…第一保持片、４３ｂ…第二保持片、４３ｃ…第三保持片、４４…第二側面片、４４ａ…隣接辺、４５…蓋片、４６…固定片、４６ａ…タブ、４７…糊代片、５０…包装容器、６０…中間容器、６１…受取部、６２…中間容器本体、７０…外部容器、８０…包装体、８１…上部保持シート、８２…下部保持シート、８３…受皿部、８３ａ…差込片、８３ｂ…差込口、８３ｃ…固定片、８４…側板、８５…奥側片、８６…中間リブ部、８７…糊代片、８８…外側リブ部
【図１】
0003180480.tif 000003
【図２】
0003180480.tif 000004
【図３】
0003180480.tif 000005
【図４】
0003180480.tif 000006
【図５】
0003180480.tif 000007
【図６】
0003180480.tif 000008
【図７】
0003180480.tif 000009
【図８】
0003180480.tif 000010
【図９】
0003180480.tif 000011